(57)【特許請求の範囲】
【請求項１】
垂壁部に対向配置された一対の係止片に吊杆部材の挿通孔を設けて、
吊杆部材の所定位置に固定される保持体と、配管を支持する配管支持体の下端側を垂壁部に固設した配管用支持具において、
保持体の垂壁部における一対の係止片の間に、吊杆部材を押圧する一対の押圧片の基端側を弾性変形可能に固設し、該押圧片を、先端側が係止片側へ接近させる様に傾斜させたことを特徴とする配管用支持具。
【請求項２】
配管支持体の上端側に蓋板の基端側を回動自在に装着し、蓋板の先端側を垂壁部に係着自在と成したことを特徴とする請求項１記載の配管用支持具。
【請求項３】
保持体に形成した窓部に対し、蓋板の先端部に形成した掛止部を挿脱自在としたことを特徴とする請求項２記載の配管用支持具。
【請求項４】
配管支持体と蓋板の回動部分に遊びを持たせて、配管支持体蓋板を装着したことを特徴とする請求項２又は３記載の配管用支持具。
【請求項５】
掛止部の先端に上方へ突出する抜止体を屈曲形成し、窓部の上方一側部に掛止部を嵌め込み可能な嵌合スリットを形成したことを特徴とする請求項４記載の配管用支持具。
【請求項６】
蓋板の基端側に、配管支持体の上端部の押圧突片を設けたことを特徴とする請求項２、３、４又は５記載の配管用支持具。
【請求項７】
係止片に、挿通孔を側方開口させる切込を設けたことを特徴とする請求項１、２、３、４、５又は６記載の配管用支持具。
【請求項８】
下方の押圧片を立てて傾斜を急にしたことを特徴とする請求項７記載の配管用支持具。
【請求項９】
押圧片を、先端の両側部を保持体より突出させる様に形成したことを特徴とする請求項７又は８記載の配管用支持具。
【請求項１０】
押圧片を、垂壁部への固定部の上下端縁部に連続形成したことを特徴とする請求項７、８又は９記載の配管用支持具。
【発明の詳細な説明】
【０００１】
【発明の属する技術分野】
本発明は、コンクリート建造物の天井スラブにその上端を埋設固定したアンカーボルト、吊りボルト、鉄筋、丸棒等の吊杆部材に固定して、天井裏等への配管を可能にした配管用支持具に関する。
【０００２】
【従来の技術】
従来、かかる配管用支持具にあっては、例えば実公平７ー１７９０５号公報のものの様に、アンカーボルトの所定位置に固定される保持体と配管を支持する配管支持体よりなり、前記保持体は垂壁部の一面側に一対の係止片が対向配置されていて、該係止片には前記アンカーボルトのねじ部に係着する薄肉係合部を有する挿通孔が設けられ、かつ前記垂壁部の一面側には前記アンカーボルト挿通孔の薄肉係合部を前記アンカーボルトのねじ部側に付勢押圧する板バネが形成されていると共に、前記配管支持体は、前記保持体の垂壁部の他面側に設けられていて、その一端が前記保持体に対して回動自在に枢着されており、かつ他端は片持梁状に弾性を有していて前記保持体に対して開閉自在に係着される様に構成されたものが見受けられる。
そして、配管支持体を保持体から外した状態で配管用支持具をアンカーボルトに固定すると共に、かかる配管支持体上に一旦配管を載置した後、各配管用支持具の配管支持体を保持体にセットして、配管を設置する様にしていた。
又、保持体と配管支持体の他端側の係着構造は、保持体に形成した窓部内に爪部を突設すると共に、配管支持体に形成した、保持体の窓部内に差し込む掛止部に嵌合孔を形成し、該嵌合孔内に爪部を嵌め込むことにより、保持体に配管支持体をセットしていた。
【０００３】
【発明が解決しようとする課題】
しかし、上記配管用支持具にあっては、保持体から外された配管支持体上に一旦載置する作業と、配管支持体を保持体にセットする作業の両方を行わねば配管を設置することが出来ないため、かかる配管作業が甚だ面倒になる等、解決せねばならない課題があった。
【０００４】
【課題を解決するための手段】
本発明は、上記従来技術に基づく、配管作業が面倒となる課題に鑑み、垂壁部に対向配置された一対の係止片に吊杆部材の挿通孔を設けて、吊杆部材の所定位置に固定される保持体と、配管を支持する配管支持体の下端側を垂壁部に固設した配管用支持具において、
保持体の垂壁部における一対の係止片の間に、吊杆部材を押圧する一対の押圧片の基端側を弾性変形可能に固設し、該押圧片を、先端側が係止片側へ接近させる様に傾斜させた配管用支持具を吊杆部材に設置することによって、その後の配管作業を単に配管支持体と保持体間に配管を嵌め入れる作業だけにする様にして、上記課題を解決する。
【０００５】
【発明の実施の形態】
以下本発明の実施の形態を図面に基づいて説明する。
図１は、本発明に係る配管用支持具の正面図であり、図２は、図１の平面図であり、図３は、図１の底面図であり、図４は、図１の左側面図であり、図５は、吊杆部材に装着状態の配管用支持具の断面図である。
図１〜５に示す様に、配管用支持具22をアンカーボルト、吊りボルト、鉄筋、丸棒等の吊杆部材６に固定するための部材である保持体１は、一対の係止片２、2aと垂壁部３より成る略コ字状に形成されている。
【０００６】
係止片２、2aは、平行で同一方向に突出しており、かかる係止片２、2aに吊杆部材６の挿通孔４、4aが夫々形成されている。
尚、図２、３に示す様に、係止片２、2aに切込部21、21a を設けて前記挿通孔４、4aを側方開口させることは、保持体１の吊杆部材６への装着を容易化する望ましい形態である。
又、切込部21、21a の幅を、挿通孔４、4aより若干狭くして、挿通孔４、4aにおける吊杆部材６の押圧部位を、切込部21、21a より係止片２、2a側に食い込ませることで段差部11、11a が形成されることから、外力作用による保持体１の吊杆部材６からの抜脱を防止しているが、その食い込み量は、保持体１の装着作業時の作業容易性の観点から、少ない方が好ましい。
又、垂壁部３の両側部より斜め外方に補強リブ７、7aを一体突設し、該補強リブ７、7aにより垂壁部３が湾曲変形しない様にしている。
【０００７】
又、垂壁部３に固設された吊杆部材６の押圧部材８は、金属板の両端部を任意角度に屈曲して形成され、その中間部を矩形状の垂壁部３への固定部９とし、両端部を吊杆部材６の押圧片10、10a として、垂壁部３の上下部にして係止片２、2aの内側に、先端側を係止片２、2a側へ接近（指向）させる様に傾斜させた押圧片10、10a が設けられている。
即ち、上下の押圧片10、10a は逆方向に傾斜し、吊杆部材６と当接した時に、上方の押圧片10は、保持体１の上方移動を防止、抑止する作用を有し、下方の押圧片10a は、保持体１の下方移動を防止、抑止する作用を有している。
尚、押圧片10、10a の基端側、即ち固定部９と押圧片10、10a の境界部の屈曲部を弾性変形可能と成して、押圧片10、10a の先端に押圧力が作用すると押圧片10、10a が傾動し、押圧力を解除すると、初期位置に自動復帰する様に成っている。
又、押圧片10、10a にあっては、先端側へ序々に拡幅する台形状に形成して、保持体１の両側部より突出させるのが望ましく、又下方の押圧片10a の方を若干立てて急角度にするのが望ましい。
又、押圧片10、10a の傾動容易性を確保すべく、押圧片10、10a の基端部の幅を狭くするために、固定部９と各押圧片10、10a の境界部の両側部に切欠12、12、12a 、12a を形成しても良い。
この実施例では、図５の断面図からよりよく理解されるように、押圧部材８は吊杆部材６と垂壁部３間に配置されていて、前記係止片２、2aの挿通孔４、4aの外側内縁部を吊杆部材６に付勢押圧している。
又、押圧片10、10a の先端と、挿通孔４、4aにおける吊杆部材６の押圧部位との平面視の間隔ｄは、吊杆部材６の直径より狭く設定する（即ち、押圧片10、10a が吊杆部材６に押圧接触可能とする）必要があるが、押圧片10、10a の先端と、切込部21、21a における係止片２、2aの先端側の端縁部との実際の間隔Ｄは、吊杆部材６の直径より広い方が望ましい。
【０００８】
ここで、配管用支持具22について説明する。
配管を支持する断面円弧状に形成された支持部29を有するＪ字状の配管支持体28の短部材28a が前記保持体１に固設されている。
即ち、配管支持体28は、図１、２、３、５に示す様に、帯状の金属板の下端を略円弧状に湾曲させて配管の支持部29を形成すると共に、該支持部29より連続して短部材28a 及び長部材28b が形成されている。
又、長部材28b の上端側に蓋板30の基端部が、保持体１と配管支持体28の上方開口部を開閉自在と成る様に回動自在に装着されており、該蓋板30の先端を保持体１の垂壁部３上部に係着する様に成っている。
具体的には、長部材28b の上端側に矩形孔24を貫設することで、長部材28b の上端部に枢軸部23が形成され、他方枢軸部23が遊貫する筒状部25を蓋板30の基端部の中央に設ける、即ち配管支持体28及び蓋板30の回動部分に遊びを持たせて装着することで、配管支持体28に対し蓋板30が上下左右揺動方向に揺動自在と成っている。
尚、筒状部25にあっては、蓋板30の基端部の中央より連続形成された帯状突部を筒状に曲げると共に矩形孔24に挿通させている。
又、蓋板30の先端に形成された掛止部31の先端を上方に屈曲して抜止体32を形成している。
他方、保持体１の垂壁部３の上部にして一側方寄りに設けた窓部26の他側方の上部に掛止部31の嵌合スリット27が形成されている。
そして、側方に揺動させた蓋板30の掛止部31を窓部26の下方部位に差し込んだ後、掛止部31を上動させると共に、他側方に動かして、掛止部31を嵌合スリット27内に嵌め込んで、蓋板30の先端を保持体１の垂壁部３に係着する様に成っている。
又、配管支持体28の両側部より斜め外方に補強リブ33、33a を一体突設し、該補強リブ33、33a により配管支持体28が、配管の重みで湾曲変形しない様にしている。
又、蓋板30の基端側にして筒状部25の両側部に、配管支持体28の上端部を押圧するための押圧突片34、34a を下方突設している。
【０００９】
次に本発明に係る配管用支持具の作用について説明する。
先ず、手に持った保持体１を傾けて、一方の押圧片10、10a の先端と切込部21、21a の外側内縁部の間隔Ｄに吊杆部材６を通す様に保持体１を側方へ動かして、挿通孔４、4a内に吊杆部材６を挿通させる。
次に、保持体１を吊杆部材６側へ押圧しながら立てて行って、他方の押圧片10、10a の先端を吊杆部材６に当接させると共に、更に保持体１を吊杆部材６側へ押圧して、切込部21、21a と他方の押圧片10、10a の先端間を広げた後、保持体１の上部を側方へ動かして、切込部21、21a を吊杆部材６を通して、上方の挿通孔４内に吊杆部材６を挿通させる。
その後、保持体１から手を放せば、上下方の押圧片10、10a の基端側の弾性復元力により挿通孔４、4aの内周面が吊杆部材６側に付勢押圧されて係着され、以て保持体１を吊杆部材６に固定し配管用支持具22を設置する。
更に詳細な固定状態を説明すると、両方の押圧片10、10a の先端間を狭めようとすると共に、垂壁部３と吊杆部材６間の距離を拡げようとする弾性復元力が、保持体１及び押圧片10、10a の吊杆部材６との当接部に作用し、而も保持体１側と吊杆部材６の当接部が点状で４箇所あり、且つ上下２箇所で吊杆部材６を挟着した状態になるため、配管をセットしても下がらない。
よって、吊杆部材６に対し配管用支持具22を極めて簡単且つ容易にワンタッチで、而も確実に固定することが出来、配管用支持具22の取付作業の能率を格段と向上させ、作業時間の短縮を図ることが出来る。
【００１０】
又、図示しないが、吊杆部材６がアンカーボルトや吊りボルトの場合、上記作用の他に、押圧片10、10a の先端が螺子溝に食い込むため、吊杆部材６に対し更に堅固に固定され、配管をセットしても下がらない。
【００１１】
又、配管載置時には、吊杆部材６より離れた位置にある支持部29に配管の重量が作用することから、保持体１に、その下方部が吊杆部材６に近づく方向の回転力が作用するため、下方の押圧片10a は吊杆部材６に食い込む方向の力が作用して、堅固な位置保持を可能にする。
又、下方の押圧片10a の傾斜角度を急にしているため、この位置保持力は更に増加する。
【００１２】
又、配管支持体28のセット時について説明する。
先ず、配管支持体28と保持体１間に配管を嵌め入れて、支持部29上に載置した後、蓋板30で配管支持体28を押圧して、保持体１と配管支持体28の間を拡げ、次に、配管支持体28における掛止部31を、保持体１における窓部26内に差し込んだ後に上方に揺動させると共に側方に揺動させて、掛止部31を嵌合スリット27内に嵌め込んで、蓋板30の先端を保持体１の垂壁部３に係着する。
【００１３】
又、吊杆部材６に対する保持体１の位置調節に際しては、上方への移動時には上方の押圧片10を倒し、下方への移動時には下方の押圧片10a を倒すことにより、保持体１の位置保持力が低下して移動可能な状態になる。
尚、他方の押圧片10、10a は、滑る方向で当接すると共に、係止片２、2aは板厚分で吊杆部材６と当接しているために、調節移動時の適宜な（軽度の）位置保持力を有している。
【００１４】
【発明の効果】
要するに本発明は、垂壁部３に対向配置された一対の係止片２、2aに吊杆部材６の挿通孔４、4aを設けて、吊杆部材６の所定位置に固定される保持体１と、配管を支持する配管支持体28の下端側を垂壁部３に固設したので、配管作業時には、既に吊杆部材６に固定された配管用支持具22における保持体１と配管支持体28間に単に挟入するだけで配管用支持具22に配管を設置することか出来るため、配管作業の簡易化を図ることが出来る。
又、保持体１の垂壁部３における一対の係止片２、2aの間に一対の押圧片10、10a の基端側を弾性変形可能に固設し、該押圧片10、10a を、先端側が係止片２、2a側へ接近させる様に傾斜させたので、係止片２、2aの挿通孔４、4aに吊杆部材６を挿通させると、押圧片10、10a の先端部が吊杆部材６に当接すると共に、基端側が弾性変形して、その弾性復元力により挿通孔４、4aの内周面が吊杆部材６に押圧されるため、保持体１を吊杆部材６に固定することが出来る。
而も、両方の押圧片10、10a の弾性復元力が、挿通孔４、4aの内周面及び押圧片10、10a の吊杆部材６との当接部位に作用し、且つ上下２箇所で吊杆部材６を、近接状態の挿通孔４、4aの内周面及び押圧片10、10a の点状の当接部位で挟着した状態になって、保持体１及び押圧片10、10a と吊杆部材６の当接部位の摩擦抵抗が大きくなって、丸棒状の吊杆部材６に対し装着した保持体１に配管をセットしても、そのままの位置を保持することが出来、配管の脱落事故を防止出来る。
而も、吊杆部材６がアンカーボルトの場合、押圧片10、10a の先端が螺子溝に食い込むため、アンカーボルトに対し保持体１を堅固に固定することが出来るため、吊杆部材６の形状が丸棒状であっても、ボルト状であっても対応する、即ち共用することが出来る。
且つ、上下位置調節に際しては、一方の押圧片10、10a を倒すことにより簡単に行うことが出来る。
【００１５】
又、配管支持体22の上端側に蓋板30の基端側を回動自在に装着し、蓋板30の先端側を垂壁部３に係着自在と成したので、かかる蓋板30により配管支持体22の上端側と保持体１間の開口部を閉鎖することが出来るため、かかる開口部からの配管の脱落を防止することが出来る。
【００１６】
又、保持体１に形成した窓部26に対し、蓋板30の先端部に形成した掛止部31を挿脱自在としたので、保持体１に対する蓋板30の先端の係着作業を容易化することが出来る。
【００１７】
又、配管支持体28と蓋板30の回動部分に遊びを持たせて、蓋板30を配管支持体22に装着したので、配管支持体22に対し蓋板30が許容可動域内で上下左右方向及びそれらの複合方向に揺動自在になるため、保持体１に形成された窓部26の形状に対応させて蓋板30を動かして係着することが出来る。
【００１８】
又、掛止部31の先端に上方へ突出する抜止体32を屈曲形成したので、蓋板30に掛止部31を引き抜く方向の外力が作用しても、抜止体32が保持体１に当接するため、掛止部31が保持体１から抜脱することを防止することが出来る。
又、窓部26を、抜止体32が形成された掛止部31が挿通可能な程度に大きくする必要があり、そのままでは蓋板30に下向きの外力が作用すると、抜止体32による抜止め効果がなくなるが、窓部26の上方一側部に掛止部31を嵌め込み可能な嵌合スリット27を形成したので、掛止部31を窓部26に挿通した後に上動させると共に、側方へ動かせば、嵌合スリット27に掛止部31が嵌め込まれるため、掛止部31は下がらず、抜止体32による抜止め効果を維持することか出来る。
【００１９】
又、蓋板30の開閉作業時に蓋板30で配管支持体28の上端部を押圧する際に、蓋板30の基端側が板厚だけでは、押圧時にずれたり不安定であるが、蓋板30の基端側に押圧突片34、34a を設けたので、蓋板30の基端側が幅広くなるため、配管支持体28を押圧し易くなり、よって蓋板30の開閉作業を確実且つ無理なく行うことが出来る。
【００２０】
又、蓋板30の開閉作業時に蓋板30で配管支持体28の上端部を押圧する際に、蓋板30の基端側が板厚だけでは、押圧時にずれたり不安定であるが、蓋板30の基端側に配管支持体28の上端部の押圧突片34、34a を設けたので、蓋板30の基端側が幅広くなるため、配管支持体28を押圧し易くなり、よって蓋板30の開閉作業を確実且つ無理なく行うことが出来る。
【００２２】
又、下方の押圧片10a を立てて傾斜を急にしたので、装着状態における下方の押圧片10a の変形量が大きく、その分弾性復元力も大きく成ることから、下方の押圧片10a 先端部の吊杆部材６に対する摩擦抵抗が大きくなるため、セットされた配管が重くてもそのままの位置を保持することが出来、配管の脱落事故を更に確実に防止出来る。
【００２３】
又、押圧片10、10a を、先端の両側部を保持体１より突出させる様に形成したので、装着時に、先ず押圧片10、10a の突出部位に吊杆部材６を当接させて、そのまま保持体１を吊杆部材６側へ押圧すれば、押圧片10、10a が自動的に倒れて、吊杆部材６が切込21、21a を挿通可能な状態になるため、指で押圧片10、10a を倒さずに保持体１を吊杆部材６に装着することが出来、而も吊杆部材６を当接させた後、そのまま保持体１を吊杆部材６側へ押圧すると共に、保持体１を直立姿勢に戻してゆけば、自動的に吊杆部材６が切込21、21a 内に誘導させることが出来るため、保持体１の装着作業の簡略化を図ることが出来る。
【００２４】
又、押圧片10、10a を、垂壁部３への固定部９の上下端縁部に連続形成したので、両方の押圧片10、10a の垂壁部３への固定作業を一度に行うことが出来るため、保持体１の製造工程の簡略化を図ることが出来る等その実用的効果甚だ大である。
【図面の簡単な説明】
【図１】配管用支持具の正面図である。
【図２】図１の平面図である。
【図３】図１の底面図である。
【図４】図２の左側面図である。
【図５】吊杆部材に装着状態の配管用支持具の断面図である。
【符号の説明】
１        保持体
２、2a    係止片
３        垂壁部
４、4a    挿通孔
６        吊杆部材
９        固定部
10、10a   押圧片
21、21a   切込
22        配管用支持具
26        窓部
27        嵌合スリット
28        配管支持体
30        蓋板
31        掛止部
32        抜止体
34、34a   押圧突片
【図１】
0003721045.tif 000002
【図２】
0003721045.tif 000003
【図３】
0003721045.tif 000004
【図４】
0003721045.tif 000005
【図５】
0003721045.tif 000006